(57)【特許請求の範囲】
【請求項１】
発光部の前方に第１の光学アクセサリ及び第２の光学アクセサリが位置するように、前記第１の光学アクセサリ及び前記第２の光学アクセサリを装着可能な照明装置であって、
前記発光部の天面または底面のいずれか一方には、前記第１の光学アクセサリと係合する第１の凸状部及び前記第２の光学アクセサリと係合する第２の凸状部とが設けられていて、
前記発光部の天面または底面の他方には、前記第１の光学アクセサリと係合する第１の凹状部及び前記第２の光学アクセサリと係合する第２の凹状部とが設けられ、
前記第１の凸状部および前記第１の凹状部は、前記第１の光学アクセサリが前記照明装置に対して着脱可能なように設けられ、
前記第２の凸状部および前記第２の凹状部は、前記第２の光学アクセサリが前記照明装置に対して着脱可能なように設けられることを特徴とする照明装置。
【請求項２】
前記第１の凸状部及び前記第２の凸状部は、前記発光部の光軸に略直交する方向に並んでいることを特徴とする請求項１に記載の照明装置。
【請求項３】
前記第１の凸状部及び前記第２の凸状部は、前記発光部の光軸に略直交する方向に直線上に並んでいることを特徴とする請求項１に記載の照明装置。
【請求項４】
前記第１の凹状部及び前記第２の凹状部は、前記発光部の光軸に略直交する方向に並んでいることを特徴とする請求項１ないし３のいずれか１項に記載の照明装置。
【請求項５】
前記第１の光学アクセサリが装着されているか否かを検知するための第１の検知部と、
前記第２の光学アクセサリが装着されているか否かを検知するための第２の検知部と、を有し、
前記第１の検知部は、前記第１の凹状部に対応する位置に配置され、
前記第２の検知部は、前記第２の凹状部に対応する位置に配置されていることを特徴とする請求項１ないし４のいずれか１項に記載の照明装置。
【請求項６】
前記第１の凸状部及び前記第２の凸状部は、前記発光部の光軸に略直交する方向に延びていることを特徴とする請求項１ないし５のいずれか１項に記載の照明装置。
【請求項７】
前記第１の凸状部は、前記発光部の光軸に略直交する方向において前記第２の凸状部よりも中心から離れていて、
前記第１の凹状部は、前記発光部の光軸に略直交する方向において前記第２の凹状部よりも中心から離れていていることを特徴とする請求項１ないし６のいずれか１項に記載の照明装置。
【請求項８】
前記第１の凸状部は前記発光部の天面に設けられていることを特徴とする請求項１ないし７のいずれか１項に記載の照明装置。
【発明の詳細な説明】
【技術分野】
【０００１】
本発明は、複数の光学アクセサリを装着可能な照明装置に関する。
【背景技術】
【０００２】
従来、光学アクセサリを装着可能な照明装置として、例えばストロボ装置が知られており、ストロボ装置の発光部の出射窓に装着される光学アクセサリとして、光拡散アダプタ（バウンスアダプタ）や色特性変化フィルタ（カラーフィルタ）等が知られている。バウンスアダプタは、発光部からの照射光を広角に拡散させることができる光学アクセサリである。カラーフィルタは、ストロボ光の色温度を変化させることが可能な光学アクセサリである。
【０００３】
例えば、特許文献１には、ストロボ装置の発光部に着脱可能なバウンスアダプタについて記載されている。特許文献１の装置では、発光部の側面に設けた凹部と、バウンスアダプタの内面に形成された係合凸部とを用いて、バウンスアダプタの着脱が自在となっている。しかし、特許文献１の装置は、バウンスアダプタとカラーフィルタのように、用途が異なる光学アクセサリを同時にもしくは排他的に使用できる構成となっていない。
【０００４】
一方、特許文献２には、光学アクセサリに識別信号を設け、ストロボ装置に装着された光学アクセサリの識別情報を読み取ることで光学アクセサリの種類を識別し、それによって、撮影色温度を補正する技術が開示されている。しかし、特許文献２では、光学アクセサリの取り付けに関し、詳細な開示はない。
【先行技術文献】
【特許文献】
【０００５】
【特許文献１】特開２００２−１６９２０２号公報
【特許文献２】特開２００９−２０２９８号公報
【発明の概要】
【発明が解決しようとする課題】
【０００６】
ところで、バウンスアダプタとカラーフィルタのように、用途が異なる光学アクセサリを同時にもしくは排他的に使用できるようにする場合、通常、バウンスアダプタとカラーフィルタのそれぞれ用に取り付け部を発光部に設ける必要がある。例えば、ストロボ装置の発光部の左右側部に一方の光学アクセサリ用の取り付け部を設けると共に、発光部の上部及び下部に他方の光学アクセサリ用の取り付け部を設けるとする。このような構成の場合、非装着時に取り付け部が上下左右に露出し、見栄えが良くない。特に、発光部の側部は目立つため、特許文献１のように発光部の側面に凹部を設けるだけでも外観に影響が出やすい。従って、光学アクセサリ用の取り付け部を設ける上で、デザインを向上させる工夫が求められる。
【０００７】
また、２つの光学アクセサリを同時に使用できる構成で、各光学アクセサリを順番に１つずつでないと着脱できない構成を採用すると着脱作業が面倒であり、作業性向上の観点で改善の余地がある。
【０００８】
本発明の目的は、照明装置のデザイン性を高めると共に、光学アクセサリの着脱操作を容易にすることである。
【課題を解決するための手段】
【０００９】
上記目的を達成するために本発明にかかる照明装置は、発光部の前方に第１の光学アクセサリ及び第２の光学アクセサリが位置するように、前記第１の光学アクセサリ及び前記第２の光学アクセサリを装着可能な照明装置であって、前記発光部の天面または底面のいずれか一方には、前記第１の光学アクセサリと係合する第１の凸状部及び前記第２の光学アクセサリと係合する第２の凸状部とが設けられていて、前記発光部の天面または底面の他方には、前記第１の光学アクセサリと係合する第１の凹状部及び前記第２の光学アクセサリと係合する第２の凹状部とが設けられ、前記第１の凸状部および前記第１の凹状部は、前記第１の光学アクセサリが前記照明装置に対して着脱可能なように設けられ、前記第２の凸状部および前記第２の凹状部は、前記第２の光学アクセサリが前記照明装置に対して着脱可能なように設けられることを特徴とする。
【発明の効果】
【００１０】
本発明によれば、照明装置のデザイン性を高めると共に、光学アクセサリの着脱操作を容易にすることができる。
【図面の簡単な説明】
【００１１】
【図１】照明装置を含む撮像システムの構成を示す構成を示すブロック図である。
【図２】バウンスアダプタの斜視図（図（ａ）〜（ｃ））、カラーフィルタの斜視図（図（ｄ）〜（ｇ））である。
【図３】発光部の斜視図である。
【図４】発光部の斜視図（図（ａ））、バウンスアダプタとカラーフィルタとを組み合わせた状態を示す斜視図（図（ｂ））である。
【図５】発光部の前部上部と凹状レール部との係合部分の模式的側面（図（ａ））、バウンスアダプタ及びカラーフィルタの装着状態を示す斜視図（図（ｂ））である。
【図６】第２の実施の形態における発光部の斜視図である。
【発明を実施するための形態】
【００１２】
以下、本発明の実施の形態を図面を参照して説明する。
【００１３】
（第１の実施の形態）
図１は、本発明の第１の実施の形態に係る照明装置を含む撮像システムの構成を示す構成を示すブロック図である。この撮像システムは、撮像装置であるカメラ本体１００と、カメラ本体１００に着脱可能なレンズユニット２００と、カメラ本体１００に着脱可能な照明装置であるストロボ装置３００とを有する。なお、ストロボ装置３００の上下方向については図１を基準とし、前後方向については図１の左方を前方とする。ストロボ装置３００の発光部３５０の前部には、いずれも光学アクセサリとして例示されるバウンスアダプタ１０（第１の光学アクセサリ）及びカラーフィルタ２０（第２の光学アクセサリ）が着脱可能である。バウンスアダプタ１０は、透過した光を拡散させることができる光拡散アダプタであり、カラーフィルタ２０は、透過した光の色特性を変化させることができる色特性変化フィルタである。ストロボ装置３００にバウンスアダプタ１０及びカラーフィルタ２０が装着（外嵌）されたものが照明システムとなる。
【００１４】
まず、カメラ本体１００内の構成について説明する。カメラマイコン（ＣＣＰＵ）１０１は、カメラ本体１００の各部を制御する。撮像素子１０２は、ＣＣＤやＣＭＯＳ等の撮像素子である。シャッタ１０３は、非撮影時には撮像素子１０２を遮光し、撮影時には撮像素子１０２へ光束を導くように駆動される。主ミラー（ハーフミラー）１０４は、非撮影時に後述するレンズ群２０２より入射する光の一部を反射しピント板１０５に結像させる。ピント板１０５上の像は、ペンタプリズム１１４を介して光学ファインダ等に導かれ、被写体の合焦状態を確認するために用いられる。測光回路１０６は測光センサ（ＡＥセンサ）を有し、焦点検出回路１０７は焦点検出センサ（ＡＦセンサ）を有している。ゲイン切換え回路１０８は、撮像素子１０２からの信号の増幅ゲインを切り換える。
【００１５】
Ａ／Ｄコンバータ１０９は、増幅された撮像素子１０２からのアナログ信号をデジタル信号に変換する。タイミングジェネレータ（ＴＧ）１１０は、撮像素子１０２からの信号とＡ／Ｄコンバータ１０９の変換タイミングを同期させる。信号処理回路１１１は、Ａ／Ｄコンバータ１０９でデジタル信号に変換された画像データに対し、ホワイトバランス制御を含む画像処理を行う。信号ラインＳＣは、カメラ本体１００とレンズユニット２００及びストロボ装置３００とのインタフェースにおける通信ラインである。入力部１１２は、撮影動作を開始させるためのレリーズスイッチなどの各種操作部を含む。表示部１１３は、各種設定や撮影情報などを表示する。ペンタプリズム１１４は、レンズ群２０２より入射し主ミラー１０４によって反射した光束を測光回路１０６内のＡＥセンサ及び光学ファインダに導く。サブミラー１１５は、レンズ群２０２より入射し主ミラー１０４の中央の半透明部を透過した光束を焦点検出回路１０７のＡＦセンサへ導く。
【００１６】
次に、レンズユニット２００内の構成と動作について説明する。レンズマイコン（ＬＰＵ）２０１は、レンズユニット２００の各部の動作を制御する。レンズ群２０２は、複数枚のレンズで構成されていて、レンズ駆動部２０３は、レンズマイコン２０１からの焦点調節、焦点距離の変更などの指示に応じてレンズ群２０２を移動させる。エンコーダ２０４は、レンズ群２０２の位置あるいはレンズ群２０２の駆動量を検出する。絞り２０５は、開口径を変更して撮像素子１０２に入射する光量を調節するものであり、絞り制御回路２０６を介してレンズマイコン２０１により制御される。
【００１７】
次に、照明装置としてのストロボ装置３００の構成について説明する。ストロボ装置３００の装置本体には、ストロボマイコン（ＦＰＵ）３１０、入力部３２０、表示部３２１が設けられる。装置本体にはまた、電池３０１、昇圧回路３０２、主コンデンサ３０３、抵抗３０４、抵抗３０５、積分回路３０９、ＡＮＤゲート３１１、コンパレータ３１２、電圧検出回路３１３、フォトダイオード３２３等が設けられる。ストロボ装置３００の前部（被写体側）に発光部３５０が配置される。発光部３５０は、装置本体と不図示のヒンジ機構で結合されており、バウンス撮影のために上下方向に回動可能である。
【００１８】
発光部３５０は、主に、トリガ回路３０６、放電管３０７、発光制御回路３０８、反射傘３１５、フレネルレンズ３１６、アクセサリ判別部３２２、ズーム用モータ３２５等を有する。トリガ回路３０６はストロボマイコン３１０に接続され、放電管３０７の発光時にストロボマイコン３１０よりトリガ信号を受けるとトリガ電圧を出力する。放電管３０７は、トリガ回路３０６から印加される数ＫＶのトリガ電圧を受け励起することで主コンデンサ３０３に充電されたエネルギーを用いて発光する主光源である。発光制御回路３０８は、放電管３０７の発光を制御する。
【００１９】
反射傘３１５は、放電管３０７から照射された光を発光部３５０の照射方向（光軸Ｃ０の前方）へと反射させる。フレネルレンズ３１６は、放電管３０７から照射された光のムラを軽減するとともに放電管３０７から照射された光の照射範囲を広げる照射部である。放電管３０７から発した閃光が反射傘３１５で反射し、フレネルレンズ３１６はその光束の配光を制御する。反射傘３１５とフレネルレンズ３１６との相対距離を変更することにより、ガイドナンバ及び配光を変化させることが可能となる。ズーム用モータ３２５は、ズーム回路、エンコーダからなり、反射傘３１５と放電管３０７を所定の位置に移動させる。入力部３２０は、ストロボ装置３００の設定などを入力するための各種操作部を含んでいる。表示部３２１は、ストロボ装置３００の各種状態などを表示する。
【００２０】
ストロボマイコン３１０は、ストロボ装置３００の各部の動作を制御する。ストロボマイコン３１０は、例えばＣＰＵ、ＲＯＭ、ＲＡＭ、入出力制御回路（Ｉ／Ｏコントロール回路）、マルチプレクサ、タイマ回路、ＥＥＰＲＯＭ、Ａ／Ｄコンバータ、Ｄ／Ａコンバータ等を含むマイコン内蔵ワンチップＩＣ回路構成となっている。アクセサリ判別部３２２は、発光部３５０に対して着脱可能なバウンスアダプタ１０及びカラーフィルタ２０が装着されているか否かを検知する検知部である。アクセサリ判別部３２２の検知結果に基づいて、ストロボマイコン３１０がバウンスアダプタ１０及びカラーフィルタ２０の装着の有無を判別する。バウンスアダプタ１０及びカラーフィルタ２０の詳細な構造及び装着有無の判別方法については後述する。
【００２１】
ストロボマイコン３１０は装着されている光学アクセサリ（バウンスアダプタ、カラーフィルタ）の色温度情報を備えており、色温度情報は信号ラインＳＣを介しカメラ本体１００に伝達される。カメラ本体１００はストロボ装置３００から伝達された色温度情報を元に撮影時のホワイトバランスに応じて色情報を補正する。バウンスアダプタ１０の装着をストロボマイコン３１０が認識した場合は、ストロボマイコン３１０は、反射傘３１５、放電管３０７からなる照射部をズーム用モータ３２５で最適なズーム位置へ移動させる。
【００２２】
図２（ａ）〜（ｃ）はバウンスアダプタ１０の斜視図である。図２（ｄ）〜（ｆ）はカラーフィルタ２０の斜視図である。なお、カラーフィルタ２０としては、種類の異なるものを選択的に装着できるものとし、これらを区別して呼称するときにはカラーフィルタ２０−１、２０−２と記す。図２（ｄ）〜（ｆ）ではカラーフィルタ２０−１を示し、図２（ｇ）に、カラーフィルタ２０−２の部分斜視図を示す。バウンスアダプタ１０及びカラーフィルタ２０の上下及び前後方向については、ストロボ装置３００の発光部３５０に装着された状態を基準とする。図２（ａ）、（ｂ）、（ｄ）、（ｅ）では、バウンスアダプタ１０、カラーフィルタ２０を斜め上方から見ており、図２（ｃ）、（ｆ）ではバウンスアダプタ１０、カラーフィルタ２０を斜め下方から見ている。
【００２３】
バウンスアダプタ１０、カラーフィルタ２０はいずれも、上下及び左右の側板部を有する。図２（ｂ）に示すように、バウンスアダプタ１０の底板部の内側（上面）には、左右方向に並んで突起部１１、１２（第１の嵌合対応部）が突設されている。突起部１１の先端には検知突起部１１ａが形成されている。バウンスアダプタ１０の底板部の内側にはさらに、２本の迎えリブ１３ａ、１３ｂが形成されている。これらの迎えリブ１３ａ、１３ｂは、カラーフィルタ２０とバウンスアダプタ１０とが共に発光部３５０に装着されているときに、バウンスアダプタ１０とカラーフィルタ２０の両方を一緒に発光部３５０から取り外す際に役立つ。その詳細は後述する。バウンスアダプタ１０の底板部の前部は指掛け部１５となっている。図２（ｃ）に示すように、バウンスアダプタ１０の上板部の内側（下面）には、凹状レール部１４ａ、１４ｂ（第１の係合対応部）が形成されている。凹状レール部１４ａ、１４ｂは、側面視で鉤状部を有するように形成され、左右方向に延びる。凹状レール部１４ａ、１４ｂの断面形状は同じであり、前後方向の位置も同じである。
【００２４】
図２（ｅ）に示すように、カラーフィルタ２０の底板部から延設片２５が前方に向かって延設され、指掛け片としての延設片２５の前部が指掛け部２４となっている。延設片２５の内側（上面）には、左右方向に並んで突起部２１、２２（第２の嵌合対応部）が突設されている。カラーフィルタ２０−１の突起部２２の先端には特に、検知突起部２２ａが形成されている。カラーフィルタ２０の上板部の内側（下面）には、凹状レール部２３（第２の係合対応部）が形成されている（図２（ｆ））。凹状レール部２３は、凹状レール部１４ａ、１４ｂと同じ断面形状で、側面視で鉤状部を有するように形成され、左右方向に延びる。バウンスアダプタ１０及びカラーフィルタ２０が共に発光部３５０に装着された状態では、光軸Ｃ０に直交する方向でもある左右方向に凹状レール部１４ａ、２３、１４ｂが一直線上に並ぶ。
【００２５】
ところで、カラーフィルタ２０−２については、カラーフィルタ２０−１に対して、光学特性（色）が異なるほか、形状としては、図２（ｇ）に示すように、延設片２５における突起部２１、２２が相違している。例えば、カラーフィルタ２０−２では、検知突起部が突起部２２の先端に設けられていない代わりに、検知突起部２１ａが突起部２１の先端に設けられる。
【００２６】
図３は、発光部３５０の斜視図であり、下カバーを分離させて示している。図３では、発光部３５０を斜め前方下方から見ている。発光部３５０の底部には下カバー３５３が配置され、下カバー３５３の下面が発光部３５０の底面３５０ｂとなる。発光部３５０における下カバー３５３で隠れる底面には、フレキシブル基板４００が配設される。フレキシブル基板４００には、検知部としての検知スイッチ用接点部４００ａ、４００ｂ、４００ｃが設けられる。
【００２７】
下カバー３５３には、略長方形をした穴部３５４ａ、３５４ｂ、３５４ｃ、３５４ｄが光軸Ｃ０と直交する方向（左右方向）に並ぶように形成される。発光部３５０における下カバー３５３で隠れる底面には、検知スイッチ用接点部４００ａ、４００ｂ、４００ｃに対応して、防滴用シールを兼ねた検知スイッチシール３５１ａ、３５１ｂ、３５１ｃが配設される。検知スイッチシール３５１ａ、３５１ｂ、３５１ｃはそれぞれ、検知突子３５２ａ、３５２ｂ、３５２ｃを下カバー３５３側へ常に付勢している。穴部３５４ａ、３５４ｂ、３５４ｃ、検知スイッチシール３５１ａ、３５１ｂ、３５１ｃ、検知突子３５２ａ、３５２ｂ、３５２ｃ、検知スイッチ用接点部４００ａ、４００ｂ、４００ｃの各位置はそれぞれ、突起部１１、２１、１２に対応している。穴部３５４ｄは突起部２２に対応している。なお、これら各穴部３５４に対応する、検知突子３５２、検知スイッチシール３５１及び検知スイッチ用接点部４００ａ〜ｃが、アクセサリ判別部３２２（図１）を構成する。
【００２８】
発光部３５０にバウンスアダプタ１０を装着する際に、穴部３５４ａ、３５４ｄが、突起部１１、１２に嵌合される第１の嵌合部（第１の凹状部）となる。発光部３５０にカラーフィルタ２０を装着する際に、穴部３５４ｂ、３５４ｃが、突起部２１、２２に嵌合される第２の嵌合部（第２の凹状部）となる。
【００２９】
本実施の形態では、凹状部である穴部３５４ａ〜３５４ｃは、バウンスアダプタ１０またはカラーフィルタ２０の取り付け部として機能するが、これらの取り付けを検知する機能の一部も果たす。まず、バウンスアダプタ１０が装着された際に、突起部１１ａ（図２（ｂ））が検知突子３５２ａを押し上げる。すると、検知スイッチシール３５１ａが検知スイッチ用接点部４００ａと接触し、導通することで、バウンスアダプタ１０の装着済みが検知される。また、カラーフィルタ２０−１が装着された際に、突起部２２の検知突起部２２ａ（図２（ｅ））が検知突子３５２ｃを押し上げる。すると、検知スイッチシール３５１ｃが検知スイッチ用接点部４００ｃと接触し、導通することで、カラーフィルタ２０−１の装着済みが検知される。カラーフィルタ２０−２が装着された際に、突起部２１の検知突起部２１ａ（図２（ｇ））が検知突子３５２ｂを押し上げる。すると、検知スイッチシール３５１ｂが検知スイッチ用接点部４００ｂと接触し、導通することで、カラーフィルタ２０−２の装着済みが検知される。
【００３０】
なお、穴部３５４、検知突子３５２、検知スイッチ用接点部４００ａ〜ｃ及び検知スイッチシール３５１のそれぞれの個数は一例であり、バウンスアダプタ１０やカラーフィルタ２０の種類や組み合わせによって増減させても構わない。例えば、カラーフィルタ２０については、選択的に装着されるものとして２種類を想定したが、３種類以上であってもよい。また、複数種類のバウンスアダプタ１０を選択的に装着可能にしてもよい。そのようにする場合、穴部３５４、検知突子３５２、検知スイッチ用接点部４００ａ〜ｃ及び検知スイッチシール３５１の数を増やす。それと共に、突起部２１、２２、突起部１１、１２と同様の突起部をさらに増やし、種類に応じた突起部の先端に検知突起部を設ければよい。
【００３１】
図４（ａ）は発光部３５０の斜視図である。図４（ａ）では、発光部３５０を斜め上方から見ている。発光部３５０は前部に出射窓３５６を有し、バウンスアダプタ１０及びカラーフィルタ２０は出射窓３５６に装着される。出射窓３５６の上部を上辺３５６ａ（第１の辺）が構成し、出射窓３５６の下部を、上辺３５６ａに向かい合う下辺３５６ｂ（第２の辺）が構成する。
【００３２】
発光部３５０の上部にワイドパネルカバー３５５が配置される。ワイドパネルカバー３５５の上面が、発光部３５０の天面３５０ａとなる。ワイドパネルカバー３５５の前縁部、すなわち、発光部３５０の天面３５０ａの最前部（上辺３５６ａの上部）には、凸状部である取付けリブ３５５ａが形成されている。取付けリブ３５５ａは左右方向に延びる１本の突条であり、上辺３５６ａに略平行で且つ光軸Ｃ０に略直交する。取付けリブ３５５ａは、バウンスアダプタ１０の装着時に凹状レール部１４ａ、１４ｂと係合する第１の係合部（第１の凸状部）として機能すると共に、カラーフィルタ２０の装着時に凹状レール部２３と係合する第２の係合部（第２の凸状部）としても機能する。
【００３３】
ワイドパネルカバー３５５の、取付けリブ３５５ａの後部に隣接する２箇所には、三角リブ３５５ｂ、３５５ｃが形成される。三角リブ３５５ｂ、３５５ｃは、取付けリブ３５５ａを左右方向において概ね３分割する位置に配置されている。三角リブ３５５ｂ、３５５ｃ間の間隔は、カラーフィルタ２０の凹状レール部２３の左右方向の幅より若干大きい。カラーフィルタ２０の装着時には、三角リブ３５５ｂ、３５５ｃはカラーフィルタ２０の凹状レール部２３を挟持し、カラーフィルタ２０の取り付けガイドとして機能する。これにより、左右方向におけるカラーフィルタ２０の位置が適切に規制され、スムーズな装着が可能となる。
【００３４】
図４（ｂ）は、バウンスアダプタ１０とカラーフィルタ２０とを組み合わせた状態を示す斜視図である。バウンスアダプタ１０及びカラーフィルタ２０が共に発光部３５０の出射窓３５６に装着されたとき、図４（ｂ）に示すように、カラーフィルタ２０はバウンスアダプタ１０に内包された状態となる。
【００３５】
次に、バウンスアダプタ１０とカラーフィルタ２０を発光部３５０の出射窓３５６に対して着脱する方法について説明する。図５（ａ）は、発光部３５０の前部上部とバウンスアダプタ１０及びカラーフィルタ２０の凹状レール部１４ａ、１４ｂ、２３との係合部分の模式的側面である。図５（ｂ）は、発光部３５０にバウンスアダプタ１０とカラーフィルタ２０とが装着された状態を示す斜視図である。図５（ｂ）では、発光部３５０を斜め下方から見ている。
【００３６】
まず、カラーフィルタ２０を単独で発光部３５０に装着する場合、凹状レール部２３の鉤状部を取付けリブ３５５ａに後ろ側から係合させ、図５（ａ）のＡ方向に回動させる。その際、凹状レール部２３と取付けリブ３５５ａとが係合する部分を中心にカラーフィルタ２０が回動するが、その回動中心は概ね定まっており、これを第２の回動中心ＡＸ２と呼称する。第２の回動中心ＡＸ２を中心としてカラーフィルタ２０をＡ方向に回動させていくと、やがて、突起部２１、２２と穴部３５４ｂ、３５４ｃとが嵌合される。これにより、カラーフィルタ２０の装着が完了する。
【００３７】
一方、バウンスアダプタ１０を単独で発光部３５０に装着する場合、凹状レール部１４ａ、１４ｂの鉤状部を取付けリブ３５５ａに後ろ側から係合させ、図５（ａ）のＡ方向に回動させる。その際、凹状レール部１４ａ、１４ｂと取付けリブ３５５ａとが係合する部分を中心にバウンスアダプタ１０が回動するが、その回動中心は概ね定まっており、これを第１の回動中心ＡＸ１と呼称する。ここで、凹状レール部１４ａ、１４ｂ、２３の側面視形状は共通であるので、第１の回動中心ＡＸ１と第２の回動中心ＡＸ２とは略同一である。第１の回動中心ＡＸ１を中心としてバウンスアダプタ１０をＡ方向に回動させていくと、やがて、突起部１１、１２と穴部３５４ａ、３５４ｄとが嵌合される。これにより、バウンスアダプタ１０の装着が完了する。
【００３８】
カラーフィルタ２０はバウンスアダプタ１０に内包可能であるため、カラーフィルタ２０が装着された状態でバウンスアダプタ１０を装着するときの操作はバウンスアダプタ１０を単独で装着する操作と変わりはない。また、第１の回動中心ＡＸ１と第２の回動中心ＡＸ２とは設計上は一致しており、製造誤差や作業上の誤差を考慮しても略一致する。そのため、カラーフィルタ２０及びバウンスアダプタ１０の両者を組み合わせて一斉に装着することも可能である。
【００３９】
両者を一緒に同時装着する場合、好ましくは両者を図４（ｂ）に示すように組み合わせてから装着する。カラーフィルタ２０がバウンスアダプタ１０に適切に内包された状態では、凹状レール部１４ａ、２３、１４ｂが一直線上に並ぶ。両者を組み合わせた状態で、凹状レール部１４ａ、２３、１４ｂの鉤状部を取付けリブ３５５ａに後ろ側から係合させ、第１の回動中心ＡＸ１（第２の回動中心ＡＸ２）を中心として図５（ａ）のＡ方向に回動させる。両者をＡ方向に回動させていくと、やがて、突起部２１、２２と穴部３５４ｂ、３５４ｃとが嵌合されるのとほぼ同時に、突起部１１、１２と穴部３５４ａ、３５４ｄとが嵌合される。これにより、両者の装着がほぼ同時に完了する。
【００４０】
次に、バウンスアダプタ１０を単独で取り外す場合、指掛け部１５を図５（ｂ）に矢印で示す下方へ操作することで、突起部２１、２２と穴部３５４ｂ、３５４ｃとの嵌合を解除する。その後、第１の回動中心ＡＸ１を中心としてバウンスアダプタ１０を図５（ａ）に示すＢ方向に回動させながら取り外すことができる。カラーフィルタ２０が装着された状態でバウンスアダプタ１０を取り外すときの操作はバウンスアダプタ１０を単独で取り外す操作と変わりはない。一方、カラーフィルタ２０だけが装着された状態でカラーフィルタ２０を取り外す場合、指掛け部２４を図５（ｂ）に矢印で示す下方へ操作することで、突起部２１、２２と穴部３５４ｂ、３５４ｃとの嵌合を解除する。その後、第２の回動中心ＡＸ２を中心としてカラーフィルタ２０を図５（ａ）に示すＢ方向に回動させながら取り外すことができる。
【００４１】
また、バウンスアダプタ１０及びカラーフィルタ２０の両者が共に装着された状態で、両者を一斉に取り外すこともできる。この場合、まず、カラーフィルタ２０の指掛け部２４を図５（ｂ）に矢印で示す下方へ操作する。これにより、最初に突起部２１、２２と穴部３５４ｂ、３５４ｃとの嵌合が解除される。そのとき、カラーフィルタ２０の延設片２５に対向するバウンスアダプタ１０の迎えリブ１３ａ、１３ｂが、延設片２５を受け止める。指掛け部２４をさらに下方へ操作すると、バウンスアダプタ１０の突起部１１、１２と穴部３５４ａ、３５４ｄとの係合が解除される。迎えリブ１３ａ、１３ｂが、カラーフィルタ２０の延設片２５と当接しているので、指掛け部１５に触れることなく穴部３５４ａ、３５４ｄからの突起部１１、１２の離脱操作が容易である。その後、第１の回動中心ＡＸ１（第２の回動中心ＡＸ２）を中心としてバウンスアダプタ１０及びカラーフィルタ２０の両者を図５（ａ）に示すＢ方向に回動させながら一緒に取り外すことができる。
【００４２】
本実施の形態によれば、カラーフィルタ２０は、凹状レール部２３と取付けリブ３５５ａとを係合させつつ第２の回動中心ＡＸ２を中心として回動させることで単独で着脱可能である。突起部２１、２２と穴部３５４ｂ、３５４ｃとは装着時に嵌合され、取り外し時に嵌合解除される。バウンスアダプタ１０は、カラーフィルタ２０が装着されているか否かにかかわらず、凹状レール部１４ａ、１４ｂと取付けリブ３５５ａとを係合させつつ第１の回動中心ＡＸ１を中心として回動させることで単独で着脱可能である。突起部１１、１２と穴部３５４ａ、３５４ｄとは装着時に嵌合され、取り外し時に嵌合解除される。これにより、光学アクセサリの着脱操作を容易にすることができる。ここで、バウンスアダプタ１０とカラーフィルタ２０とに共通に用いられる取付けリブ３５５ａは、出射窓３５６を構成する辺のうち上辺３５６ａに設けられ、穴部３５４ａ、３５４ｄは下辺３５６ｂに設けられる。バウンスアダプタ１０とカラーフィルタ２０の取り付けのための機構を出射窓３５６の左右の側部に設ける必要がないため、目立ちやすい左右の側部がスッキリとした外観となる。これにより、２つの光学アクセサリの着脱機構を出射窓３５６における同じ辺に配置して、照明装置のデザイン性を高めることができる。
【００４３】
また、第１の回動中心ＡＸ１と第２の回動中心ＡＸ２とは略同一であるので、カラーフィルタ２０とバウンスアダプタ１０とを組み合わせた状態で、出射窓３５６に対して着脱する際の回動動作が円滑となる。これにより、２つの光学アクセサリを一体に回動させ一斉に着脱する操作が容易となる。しかも、穴部３５４ａ、３５４ｄと穴部３５４ｂ、３５４ｃとは、光軸Ｃ０の方向における略同一の位置に配置されるので、カラーフィルタ２０とバウンスアダプタ１０との同時取り付けがより円滑になる。
【００４４】
また、カラーフィルタ２０の装着時に三角リブ３５５ｂ、３５５ｃがカラーフィルタ２０の取り付けガイドとなり、左右方向におけるカラーフィルタ２０の位置を適切に規制する規制部として機能する。これにより、カラーフィルタ２０の適切位置への円滑な装着が容易となる。また、カラーフィルタ２０の指掛け部２４を下方へ操作して突起部２１、２２と穴部３５４ｂ、３５４ｃとの嵌合が解除されたとき、バウンスアダプタ１０の迎えリブ１３ａ、１３ｂが、カラーフィルタ２０の延設片２５を受け止める当接部として機能する。これにより、２つの光学アクセサリを一体に回動させて一斉に取り外す操作が一層容易となる。また、バウンスアダプタ１０とカラーフィルタ２０とに共通に用いられる取付けリブ３５５ａは１つの突条として形成されるので、構成が簡単である。
【００４５】
また、カラーフィルタ２０の種類に応じて、突起部２２に検知突起部２２ａを設けたものと突起部２１に検知突起部２１ａを設けたものとを設け、突起部２１、２２と穴部３５４ｂ、３５４ｃとの嵌合により、装着済みとなった種類が検知される。突起部２１、２２は装着のための嵌合機構を兼ねている。従って、複数種類のカラーフィルタ２０の装着検知機構を簡単な構成で実現することができる。なお、上述したように、バウンスアダプタ１０についても、複数種類のバウンスアダプタ１０の装着検知機構を簡単な構成で実現してもよい。
【００４６】
（第２の実施の形態）
第１の実施の形態では、取付けリブ３５５ａは、バウンスアダプタ１０とカラーフィルタ２０の取り付けに共通に用いられる１つの突条として構成された。これに対し、本発明の第２の実施の形態では、取付けリブ３５５ａを、バウンスアダプタ１０用とカラーフィルタ２０用とで光軸Ｃ０の方向における異なる位置に設ける。
【００４７】
図６は、第２の実施の形態におけるストロボ装置３００の発光部３５０の斜視図であり、図４（ａ）に対応している。ワイパネカバー３５５の前縁部、すなわち、発光部３５０の天面３５０ａの最前部（上辺３５６ａの上部）には、取付けリブ３５５ａ−１、３５５ａ−２、３５５ａ−１が形成されている。これら取付けリブ３５５ａ−１、３５５ａ−２は上辺３５６ａに略平行で且つ光軸Ｃ０に略直交する。真ん中の取付けリブ３５５ａ−２は、光軸Ｃ０の方向において２つの取付けリブ３５５ａ−１より少し後方に位置する。三角リブ３５５ｂ、３５５ｃは取付けリブ３５５ａ−２の左右端に隣接して形成される。２つの取付けリブ３５５ａ−１は、バウンスアダプタ１０の装着時に凹状レール部１４ａ、１４ｂと係合する第１の係合部として機能し、取付けリブ３５５ａ−２は、カラーフィルタ２０の装着時に凹状レール部２３と係合する第２の係合部として機能する。光軸Ｃ０方向において、装着状態におけるバウンスアダプタ１０の凹状レール部１４ａ、１４ｂ、及びカラーフィルタ２０の凹状レール部２３の位置は、取付けリブ３５５ａ−１と取付けリブ３５５ａ−２との位置の相違に対応して相違している。その他の構成は第１の実施の形態と同様である。
【００４８】
光軸Ｃ０方向における取付けリブ３５５ａ−１と取付けリブ３５５ａ−２との配置が異なるため、それに対応して、第１の回動中心ＡＸ１よりも第２の回動中心ＡＸ２が後方に位置する。バウンスアダプタ１０、カラーフィルタ２０をそれぞれ単独で着脱する場合の操作は第１の実施の形態と同様であり、いずれも円滑に行える。一方、回動中心ＡＸ１、ＡＸ２は遠く離れておらず近接しているので、バウンスアダプタ１０及びカラーフィルタ２０の両者を組み合わせて着脱する際にも、回動中心ＡＸ１、ＡＸ２のいずれか、またはこれらの間の位置を回動中心として両者が回動する。従って、両者を一斉に着脱することは可能である。
【００４９】
本実施の形態によれば、２つの光学アクセサリの着脱機構を出射窓３５６における同じ辺に配置して照明装置のデザイン性を高めると共に、光学アクセサリの着脱操作を容易にすることに関し、第１の実施の形態と同様の効果を奏することができる。
【００５０】
なお、光軸Ｃ０方向における取付けリブ３５５ａ−１と取付けリブ３５５ａ−２との配置関係を図６に示す例とは逆にしてもよい。
【００５１】
なお、上記各実施の形態において、係合部と嵌合部との配置位置を上下で逆にしてもよい。従って、第１の係合部（３５５ａ、３５５ａ−１）及び第２の係合部（３５５ａ、３５５ａ−２）を、発光部３５０の天面３５０ａまたは底面３５０ｂのいずれか一方に設ける。そして、第１の嵌合部（３５４ａ、３５４ｄ）及び第２の嵌合部（３５４ｂ、３５４ｃ）を、発光部３５０の天面３５０ａまたは底面３５０ｂの他方に設ければよい。
【００５２】
なお、上記各実施の形態において、第１の係合部（３５５ａ、３５５ａ−１）と第１の係合対応部（１４ａ、１４ｂ）との形状的な関係を、例示したものとは逆にしてもよい。同様に、第２の係合部（３５５ａ、３５５ａ−２）と第２の係合対応部（２３）との形状的な関係を、例示したものとは逆にしてもよい。さらに、第１の嵌合部（３５４ａ、３５４ｄ）と第１の嵌合対応部（１１、１２）との形状的な関係、第２の嵌合部（３５４ｂ、３５４ｃ）と第２の嵌合対応部（２１、２２）との形状的な関係を、それぞれ例示したものとは逆にしてもよい。
【００５３】
また、第１の係合部（３５５ａ、３５５ａ−１）、第２の係合部（３５５ａ、３５５ａ−２）、第１の嵌合部（３５４ａ、３５４ｄ）、第２の嵌合部（３５４ｂ、３５４ｃ）は出射窓３５６の外側に設けられた。しかし、出射窓３５６の内側にこれらを設けてもよい。なお、これらは出射窓３５６の上辺３５６ａと下辺３５６ｂに設けたが、光学アクセサリの着脱容易化を実現する観点からは、これらを上下の辺に設ける代わりに左右の各辺に設け、光学アクセサリが左右方向に回動するようにしてもよい。
【００５４】
なお、バウンスアダプタ１０の内側にカラーフィルタ２０が嵌る構成としたが、この関係を逆としてもよい。また、発光部３５０に装着される光学アクセサリの用途や種類は例示に限定されない。さらに、発光部３５０に同時装着可能な光学アクセサリは３以上あってもよく、それらのうち２つの関係において本発明が適用されるようにしてもよい。
【００５５】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【符号の説明】
【００５６】
１０  バウンスアダプタ
２０  カラーフィルタ
１１、１２、２１、２２  突起部
１４ａ、１４ｂ、２３  凹状レール部
３５０  発光部
３５４ａ、３５４ｂ、３５４ｃ、３５４ｄ  穴部
３５５ａ  取付けリブ
３５６  出射窓
【図１】
0006739169.tif 000002
【図２】
0006739169.tif 000003
【図３】
0006739169.tif 000004
【図４】
0006739169.tif 000005
【図５】
0006739169.tif 000006
【図６】
0006739169.tif 000007